(57)【特許請求の範囲】
【請求項１】
移動局が、間欠受信状態から連続受信状態に復帰する際に、該移動局との間でランダムアクセス手順を実行するように構成されているランダムアクセス手順実行部を具備しており、
前記ランダムアクセス手順実行部は、前記復帰を拒絶する場合、前記ランダムアクセス手順において、前記移動局から受信したＭＡＣ制御要素に対して、前記移動局が間欠受信状態に留まることを示すＭＡＣ制御要素を送信するように構成されていることを特徴とする無線基地局。
【請求項２】
移動局が、間欠受信状態から連続受信状態に復帰する際に、該移動局との間でランダムアクセス手順を実行するように構成されているランダムアクセス手順実行部を具備しており、
前記ランダムアクセス手順実行部は、前記復帰を拒絶する場合、前記ランダムアクセス手順において、前記移動局から受信したＭＡＣ制御要素によって通知されたＣ-ＲＮＴＩを用いた物理下りリンク制御チャネルを送信する代わりに、所定のＲＮＴＩを用いた物理下りリンク制御チャネルを送信するように構成されていることを特徴とする無線基地局。
【請求項３】
前記ランダムアクセス手順実行部は、前記ＭＡＣ制御要素によって、前記移動局が前記ランダムアクセス手順を再度試みることができるまでの待機時間を通知するように構成されていることを特徴とする請求項１に記載の無線基地局。
【請求項４】
前記ランダムアクセス手順実行部は、ＲＲＣメッセージによって、前記移動局が前記ランダムアクセス手順を再度試みることができるまでの待機時間を通知するように構成されていることを特徴とする請求項１又は２に記載の無線基地局。
【請求項５】
間欠受信状態から連続受信状態に復帰する際に、無線基地局との間でランダムアクセス手順を実行するように構成されているランダムアクセス手順実行部と、
前記ランダムアクセス手順実行部が、前記ランダムアクセス手順において、移動局から該無線基地局に対して送信したＭＡＣ制御要素に対して、前記移動局が間欠受信状態に留まることを示すＭＡＣ制御要素を受信した場合に、前記間欠受信状態に留まることを決定するように構成されている状態管理部とを具備することを特徴とする移動局。
【請求項６】
間欠受信状態から連続受信状態に復帰する際に、無線基地局との間でランダムアクセス手順を実行するように構成されているランダムアクセス手順実行部と、
前記ランダムアクセス手順実行部が、前記ランダムアクセス手順において、移動局から該無線基地局に対して送信したＭＡＣ制御要素によって通知したＣ-ＲＮＴＩを用いた物理下りリンク制御チャネルの代わりに、所定のＲＮＴＩを用いた物理下りリンク制御チャネルを受信した場合に、前記間欠受信状態に留まることを決定するように構成されている状態管理部とを具備することを特徴とする移動局。
【請求項７】
前記ランダムアクセス手順実行部は、前記ＭＡＣ制御要素によって待機時間が通知された場合、該待機時間が経過するまでの期間は、前記ランダムアクセス手順を試みないように構成されていることを特徴とする請求項５に記載の移動局。
【請求項８】
前記ランダムアクセス手順実行部は、前記ＭＡＣ制御要素を受信した場合で、かつ、ＲＲＣメッセージによって待機時間が通知されている場合、該待機時間が経過するまでの期間は、前記ランダムアクセス手順を試みないように構成されていることを特徴とする請求項５に記載の移動局。
【請求項９】
前記ランダムアクセス手順実行部は、前記所定のＲＮＴＩを用いた物理下りリンク制御チャネルを受信した場合で、かつ、ＲＲＣメッセージによって待機時間が通知されている場合、該待機時間が経過するまでの期間は、前記ランダムアクセス手順を試みないように構成されていることを特徴とする請求項６に記載の移動局。
【請求項１０】
移動局が、間欠受信状態から連続受信状態に復帰する際に、該移動局との間でランダムアクセス手順を実行するように構成されているランダムアクセス手順実行部を具備しており、
前記ランダムアクセス手順実行部は、前記復帰を拒絶する場合、前記ランダムアクセス手順において、前記移動局から受信したＭＡＣ制御要素に対して、コネクション解放メッセージを送信するように構成されていることを特徴とする無線基地局。
【請求項１１】
前記ランダムアクセス手順実行部は、前記コネクション解放メッセージによって、前記移動局が前記ランダムアクセス手順を再度試みることができるまでの待機時間を通知するように構成されていることを特徴とする請求項１０に記載の無線基地局。
【請求項１２】
間欠受信状態から連続受信状態に復帰する際に、無線基地局との間でランダムアクセス手順を実行するように構成されているランダムアクセス手順実行部と、
前記ランダムアクセス手順実行部が、前記ランダムアクセス手順において、移動局から該無線基地局に対して送信したＭＡＣ制御要素に対して、コネクション解放メッセージを受信した場合に、前記間欠受信状態に留まることを決定するように構成されている状態管理部とを具備することを特徴とする移動局。
【請求項１３】
前記ランダムアクセス手順実行部は、前記コネクション解放メッセージによって待機時間が通知された場合、該待機時間が経過するまでの期間は、前記ランダムアクセス手順を試みないように構成されていることを特徴とする請求項１２に記載の移動局。
【発明の詳細な説明】
【技術分野】
【０００１】
本発明は、無線基地局及び移動局に関する。
【背景技術】
【０００２】
ＬＴＥ（Ｌｏｎｇ  Ｔｅｒｍ  Ｅｖｏｌｕｔｉｏｎ）方式の移動通信システムでは、ＡＣＢ（Ａｃｃｅｓｓ  Ｃｌａｓｓ  Ｂａｒｒｉｎｇ）のメカニズムを用いて、ＲＲＣ_ＩＤＬＥ状態（アイドル状態）の移動局ＵＥによって発信処理（位置登録処理を含む。以下、同様）に関する信号、例えば、位置登録処理用シグナリング（ＭＯ-ｓｉｇｎａｌｌｉｎｇ）やＵ-ｐｌａｎｅ発信処理用シグナリング（ＭＯ-ｄａｔａ）を送信するための「ＲＡ（Ｒａｎｄｏｍ  Ａｃｃｅｓｓ）  Ｒｅｑｕｅｓｔ」の送信を規制することができる。
【先行技術文献】
【非特許文献】
【０００３】
【非特許文献１】３ＧＰＰ  ＴＳ３６.３００
【非特許文献２】３ＧＰＰ  ＴＳ３６.２１１
【非特許文献３】３ＧＰＰ  ＴＳ３６.２１３
【非特許文献４】３ＧＰＰ  ＴＳ３６.３２１
【非特許文献５】３ＧＰＰ  ＴＳ３６.３３１
【発明の概要】
【発明が解決しようとする課題】
【０００４】
しかしながら、従来のＬＴＥ方式の移動通信システムでは、ＲＲＣ_ＣＯＮＮＥＣＴＥＤ状態（接続状態）で且つＤＲＸ（Ｄｉｓｃｏｎｔｉｎｕｏｕｓ  Ｒｅｃｅｐｔｉｏｎ）状態（間欠受信状態）の移動局ＵＥによって「ＵＬ  ｄａｔａ  ａｒｒｉｖａｌ」を契機として行われるＲＡ手順における「ＲＡ  Ｐｒｅａｍｂｌｅ」の送信に対して、ＡＣＢを行うことができない、すなわち、かかる「ＲＡ  Ｐｒｅａｍｂｌｅ」の送信を規制することができない。
【０００５】
その結果、混雑時に、優先端末による発信処理や緊急呼の発信処理を行うためのＲＡ手順で送信される「ＲＡ  Ｐｒｅａｍｂｌｅ」が、上述の「ＲＡ  Ｐｒｅａｍｂｌｅ」に衝突し、かかるＲＡ手順が失敗したり、ＤＲＸ状態への復帰に伴うネットワークリソースの枯渇や処理輻輳により、かかる発信処理が遅延したり、かかる発信処理が失敗したりする可能性があるという問題点があった。
【０００６】
そこで、本発明は、上述の課題に鑑みてなされたものであり、混雑時においても、優先端末による発信処理や緊急呼の発信処理を成功させる確率を向上させることができる無線基地局及び移動局を提供することを目的とする。
【課題を解決するための手段】
【０００７】
本発明の第１の特徴は、無線基地局であって、移動局が、間欠受信状態から連続受信状態に復帰する際に、該移動局との間でランダムアクセス手順を実行するように構成されているランダムアクセス手順実行部を具備しており、前記ランダムアクセス手順実行部は、前記復帰を拒絶する場合、前記ランダムアクセス手順において、前記移動局から受信したＭＡＣ制御要素に対して、所定のＭＡＣ制御要素を送信するように構成されていることを要旨とする。
【０００８】
本発明の第２の特徴は、無線基地局であって、移動局が、間欠受信状態から連続受信状態に復帰する際に、該移動局との間でランダムアクセス手順を実行するように構成されているランダムアクセス手順実行部を具備しており、前記ランダムアクセス手順実行部は、前記復帰を拒絶する場合、前記ランダムアクセス手順において、前記移動局から受信したＭＡＣ制御要素によって通知されたＣ-ＲＮＴＩを用いた物理下りリンク制御チャネルを送信する代わりに、所定のＲＮＴＩを用いた物理下りリンク制御チャネルを送信するように構成されていることを要旨とする。
【０００９】
本発明の第３の特徴は、移動局であって、間欠受信状態から連続受信状態に復帰する際に、無線基地局との間でランダムアクセス手順を実行するように構成されているランダムアクセス手順実行部と、前記ランダムアクセス手順実行部が、前記ランダムアクセス手順において、前記移動局から該無線基地局に対して送信したＭＡＣ制御要素に対して、所定のＭＡＣ制御要素を受信した場合に、前記間欠受信状態に留まることを決定するように構成されている状態管理部とを具備することを要旨とする。
【００１０】
本発明の第４の特徴は、移動局であって、間欠受信状態から連続受信状態に復帰する際に、無線基地局との間でランダムアクセス手順を実行するように構成されているランダムアクセス手順実行部と、前記ランダムアクセス手順実行部が、前記ランダムアクセス手順において、前記移動局から該無線基地局に対して送信したＭＡＣ制御要素によって通知したＣ-ＲＮＴＩを用いた物理下りリンク制御チャネルの代わりに、所定のＲＮＴＩを用いた物理下りリンク制御チャネルを受信した場合に、前記間欠受信状態に留まることを決定するように構成されている状態管理部とを具備することを要旨とする。
【００１１】
本発明の第５の特徴は、無線基地局であって、移動局が、間欠受信状態から連続受信状態に復帰する際に、該移動局との間でランダムアクセス手順を実行するように構成されているランダムアクセス手順実行部を具備しており、前記ランダムアクセス手順実行部は、前記復帰を拒絶する場合、前記ランダムアクセス手順において、前記移動局から受信したＭＡＣ制御要素に対して、コネクション解放メッセージを送信するように構成されていることを要旨とする。
【００１２】
本発明の第６の特徴は、移動局であって、間欠受信状態から連続受信状態に復帰する際に、無線基地局との間でランダムアクセス手順を実行するように構成されているランダムアクセス手順実行部と、前記ランダムアクセス手順実行部が、前記ランダムアクセス手順において、前記移動局から該無線基地局に対して送信したＭＡＣ制御要素に対して、コネクション解放メッセージを受信した場合に、前記間欠受信状態に留まることを決定するように構成されている状態管理部とを具備することを要旨とする。
【発明の効果】
【００１３】
以上説明したように、本発明によれば、混雑時においても、優先端末による発信処理や緊急呼の発信処理を成功させる確率を向上させることができる無線基地局及び移動局を提供することができる。
【図面の簡単な説明】
【００１４】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信されるＭＡＣ-ＣＥの一例を示す図である。
【図４】本発明の第１の実施形態に係る無線基地局によって送信されるＭＡＣ-ＣＥの一例を示す図である。
【図５】本発明の第１の実施形態に係る無線基地局によって送信される「ＲＡＣＨ-ＣｏｎｆｉｇＣｏｍｍｏｎ」の一例を示す図である。
【図６】本発明の第１の実施形態に係る無線基地局によって送信される「ＲＡＣＨ-ＣｏｎｆｉｇＣｏｍｍｏｎ」の一例を示す図である。
【図７】本発明の第１の実施形態に係る移動局の機能ブロック図である。
【図８】本発明の第１の実施形態に係る移動通信システムの動作を説明するためのフローチャートである。
【図９】本発明の第２の実施形態に係る無線基地局によって用いられるＲＮＴＩの一例を示す図である。
【図１０】本発明の変更例１に係る移動通信システムの動作を説明するためのフローチャートである。
【発明を実施するための形態】
【００１５】
（本発明の第１の実施形態に係る移動通信システム）
図１乃至図８を参照して、本発明の第１の実施形態に係る移動通信システムについて説明する。
【００１６】
本実施形態に係る移動通信システムは、ＬＴＥ方式をサポートするものであって、図１に示すように、無線基地局ｅＮＢと、移動局ＵＥとを具備している。
【００１７】
図２に示すように、本実施形態に係る無線基地局ｅＮＢは、ＲＡ手順実行部１１と、決定部１２とを具備している。
【００１８】
ＲＡ手順実行部１１は、移動局ＵＥとの間で、ＲＡ（Ｒａｎｄｏｍ  Ａｃｃｅｓ）手順を行うように構成されている。
【００１９】
例えば、移動局ＵＥが、ＤＲＸ状態からｎｏｎ-ＤＲＸ状態に復帰する際に、或いは、ＲＲＣ_ＩＤＬＥ状態からＲＲＣ_ＣＯＮＮＥＣＴＥＤ状態に遷移する際に、ＲＡ手順実行部１１は、かかる移動局ＵＥとの間でＲＡ手順を実行するように構成されている。
【００２０】
ここで、移動局ＵＥがＤＲＸ状態からｎｏｎ-ＤＲＸ状態に復帰する際のＲＡ手順、及び、ＲＲＣ_ＩＤＬＥ状態からＲＲＣ_ＣＯＮＮＥＣＴＥＤ状態に遷移する際のＲＡ手順は、異なる。
【００２１】
決定部１２は、移動局ＵＥがＤＲＸ状態からｎｏｎ-ＤＲＸ状態に復帰する際のＲＡ手順（Ｃｏｎｔｅｎｔｉｏｎ  Ｂａｓｅｄ  ＲＡ  Ｐｒｏｃｅｄｕｒｅ）において、かかる復帰を受け付けるか否かについて決定するように構成されている。
【００２２】
例えば、決定部１２は、無線アクセスネットワークの輻輳状態や所定のオペレータルール等に基づいて、かかる決定を行うことができるように構成されていてもよい。
【００２３】
また、ＲＡ手順実行部１１は、かかる復帰を拒絶する場合、すなわち、決定部１２によって当該復帰が拒絶された場合、上述のＲＡ手順において、移動局ＵＥから受信したＭＡＣ-ＣＥ（Ｍｅｄｉａ  Ａｃｃｅｓｓ  Ｃｏｎｔｒｏｌ-Ｃｏｎｔｒｏｌ  Ｅｌｅｍｅｎｔ）に対して、所定のＭＡＣ-ＣＥを送信するように構成されていてもよい。
【００２４】
なお、かかる場合、ＲＡ手順実行部１１は、移動局ＵＥから受信したＭＡＣ-ＣＥによって通知されたＣ-ＲＮＴＩを用いたＰＤＣＣＨを送信する代わりに、所定のＭＡＣ-ＣＥを送信するように構成されていてもよいし、かかるＣ-ＲＮＴＩを用いたＰＤＣＣＨに加えて、所定のＭＡＣ-ＣＥを送信するように構成されていてもよい。
【００２５】
ここで、所定のＭＡＣ-ＣＥは、新たに規定されたＭＡＣ-ＣＥ（新規ＭＡＣ-ＣＥ）であってもよいし、既存の「ＤＲＸ  Ｃｏｍｍａｎｄ  ＭＡＣ  Ｃｏｎｔｒｏｌ  Ｅｌｅｍｅｎｔ」であってもよい。
【００２６】
また、ＲＡ手順実行部１１は、所定のＭＡＣ-ＣＥによって、移動局ＵＥがＲＡ手順を再度試みることができるまでの待機時間を通知するように構成されていてもよい。
【００２７】
かかる場合、例えば、新規ＭＡＣ-ＣＥは、図３に示すように、移動局ＵＥがＲＡ手順を再度試みることができるまでの待機時間を示す「Ｗａｉｔ  ｔｉｍｅｒ」を通知することができるように構成されていてもよい。例えば、「Ｗａｉｔ  ｔｉｍｅｒ」に設定される単位は、「秒」や「分」等であってもよい。
【００２８】
なお、新規ＭＡＣ-ＣＥに付与されるＬＣＩＤ（Ｌｏｇｉｃａｌ  Ｃｈａｎｎｅｌ  ＩＤ）は、例えば、図４に示すように、「１１０１０」となるように構成されていてもよい。
【００２９】
或いは、ＲＡ手順実行部１１は、ＲＲＣメッセージ（個別シグナリング）、例えば、ＲＲＣコネクション確立時に送信される「ＲＡＣＨ-ＣｏｎｆｉｇＣｏｍｍｏｎ」によって、移動局ＵＥがＲＡ手順を再度試みることができるまでの待機時間を通知するように構成されていてもよい。
【００３０】
かかる場合、例えば、「ＲＡＣＨ-ＣｏｎｆｉｇＣｏｍｍｏｎ」は、図５及び図６に示すように、移動局ＵＥがＲＡ手順を再度試みることができるまでの待機時間を示す「ｗａｉｔＴｉｍｅ」を通知することができるように構成されていてもよい。例えば、「ｗａｉｔＴｉｍｅ」に設定される単位は、「秒」や「分」等であってもよい。
【００３１】
或いは、ＲＡ手順実行部１１は、ＲＲＣコネクション再設定（ＲＲＣ  Ｃｏｎｎｅｃｔｉｏｎ  Ｒｅｃｏｎｆｉｇｕｒａｔｉｏｎ）の際に、ＲＲＣメッセージ（個別シグナリング）によって、移動局ＵＥがＲＡ手順を再度試みることができるまでの待機時間を通知するように構成されていてもよい。
【００３２】
或いは、ＲＡ手順実行部１１は、ＳＩＢ（Ｓｙｓｔｅｍ  Ｉｎｆｏｒｍａｔｉｏｎ  Ｂｌｏｃｋ）の「ＲＡＣＨ  Ｃｏｎｆｉｇ  ＩＥ」によって、移動局ＵＥがＲＡ手順を再度試みることができるまでの待機時間を通知するように構成されていてもよい。
【００３３】
図７に示すように、移動局ＵＥは、状態管理部２１と、ＲＡ手順実行部２２とを具備している。
【００３４】
状態管理部２１は、移動局ＵＥの状態、例えば、ＤＲＸ状態や、ｎｏｎ-ＤＲＸ状態（ＲＲＣ_ＣＯＮＮＥＣＴＥＤ状態）や、ＲＲＣ_ＩＤＬＥ状態を管理するように構成されている。
【００３５】
ＲＡ手順実行部２２は、無線基地局ｅＮＢとの間で、ＲＡ手順を行うように構成されている。
【００３６】
例えば、移動局ＵＥが、ＤＲＸ状態からｎｏｎ-ＤＲＸ状態に復帰する際に、或いは、ＲＲＣ_ＩＤＬＥ状態からＲＲＣ_ＣＯＮＮＥＣＴＥＤ状態に遷移する際に、ＲＡ手順実行部２２は、無線基地局ｅＮＢとの間でＲＡ手順を実行するように構成されている。
【００３７】
ＲＡ手順実行部２２が、ＤＲＸ状態からｎｏｎ-ＤＲＸ状態に復帰する際のＲＡ手順において、無線基地局ｅＮＢから、無線基地局ｅＮＢに対して送信したＭＡＣ-ＣＥによって通知したＣ-ＲＮＴＩを用いたＰＤＣＣＨの代わりに、所定のＭＡＣ-ＣＥを受信した場合に、状態管理部２１は、ＤＲＸ状態からｎｏｎ-ＤＲＸ状態に復帰することなく、ＤＲＸ状態に留まることを決定するように構成されている。
【００３８】
また、ＲＡ手順実行部２２は、所定のＭＡＣ-ＣＥによって「Ｗａｉｔ  ｔｉｍｅｒ」が通知された場合、かかる「Ｗａｉｔ  ｔｉｍｅｒ」が経過するまでの期間は、上述のＲＡ手順を試みないように構成されていてもよい。
【００３９】
或いは、ＲＡ手順実行部２２は、所定のＭＡＣ-ＣＥを受信した場合で、かつ、「ＲＡＣＨ-ＣｏｎｆｉｇＣｏｍｍｏｎ」によって「ｗａｉｔＴｉｍｅ」が通知されている場合、かかる「ｗａｉｔＴｉｍｅ」が経過するまでの期間は、上述のＲＡ手順を試みないように構成されていてもよい。
【００４０】
或いは、ＲＡ手順実行部２２は、所定のＭＡＣ-ＣＥを受信した場合には、一定期間、例えば、既存の「Ｂａｃｋｏｆｆ  ｔｉｍｅｒ」の最大値（９６０ｍｓ）の１０倍（９６００ｍｓ）の期間、上述のＲＡ手順を試みないように構成されていてもよい。
【００４１】
以下、図８を参照して、本実施形態に係る移動通信システムの動作について説明する。
【００４２】
図８に示すように、移動局ＵＥは、ＤＲＸ状態からｎｏｎ-ＤＲＸ状態に復帰することを決定すると、ランダムアクセス手順（Ｃｏｎｔｅｎｔｉｏｎ  Ｂａｓｅｄ  ＲＡ  Ｐｒｏｃｅｄｕｒｅ）を開始するために、ステップＳ１００１において、無線基地局ｅＮＢに対して、「Ｒａｎｄｏｍ  Ａｃｃｅｓｓ  Ｐｒｅａｍｂｌｅ（ＲＡプリアンブル）」を送信する。
【００４３】
ステップＳ１００２において、無線基地局ｅＮＢは、移動局ＵＥに対して、「Ｒａｎｄｏｍ  Ａｃｃｅｓｓ  Ｒｅｓｐｏｎｓｅ」を送信する。
【００４４】
ステップＳ１００３において、移動局ＵＥは、無線基地局ｅＮＢに対して、「Ｓｃｈｅｄｕｌｉｎｇ  Ｔｒａｎｓｍｉｓｓｉｏｎ（Ｍｅｓｓａｇｅ３）」として、移動局ＵＥのＣ-ＲＮＴＩを通知するＭＡＣ-ＣＥのみを送信する。
【００４５】
無線基地局ｅＮＢは、上述の復帰を拒絶することを決定すると、ステップＳ１００４において、移動局ＵＥに対して、「Ｍｅｓｓａｇｅ４」として、ＭＡＣ-ＣＥに対して、上述の所定のＭＡＣ-ＣＥを送信する。
【００４６】
本実施形態に係る発明によれば、無線基地局ｅＮＢは、ＤＲＸ状態からｎｏｎ-ＤＲＸ状態に復帰する際のＲＡ手順を拒絶することができるので、ＲＲＣ_ＣＯＮＮＥＣＴＥＤ状態で且つＤＲＸ状態の移動局ＵＥによる発信処理が多発する場合であっても、優先端末による発信処理や緊急呼の発信処理を成功させる確率を向上させることができる。
【００４７】
（本発明の第２の実施形態に係る移動通信システム）
以下、図９を参照して、本発明の第２の実施形態に係る移動通信システムについて、上述の第１の実施形態に係る移動通信システムの相違点に着目して説明する。
【００４８】
本実施形態に係る移動通信システムでは、無線基地局ｅＮＢのＲＡ手順実行部１１は、移動局ＵＥのＤＲＸ状態からｎｏｎ-ＤＲＸ状態への復帰を拒絶する場合、上述のＲＡ手順において、移動局ＵＥから受信したＭＡＣ-ＣＥによって通知されたＣ-ＲＮＴＩを用いたＰＤＣＣＨを送信する代わりに、所定のＲＮＴＩを用いたＰＤＣＣＨを送信するように構成されている。
【００４９】
かかる場合には、ＲＡ手順実行部１１は、例えば、図９に示すように、かかる所定のＲＮＴＩとして、現在使用されていないＲｅｓｅｒｖｅビットである「ＦＦＦＦＣ」を用いるように構成されていてもよい。
【００５０】
また、移動局ＵＥのＲＡ手順実行部２２が、上述のＲＡ手順において、無線基地局ｅＮＢから、無線基地局ｅＮＢに対して送信したＭＡＣ-ＣＥによって通知したＣ-ＲＮＴＩを用いたＰＤＣＣＨの代わりに、所定のＲＮＴＩを用いたＰＤＣＣＨを受信した場合に、移動局ＵＥの状態管理部２１は、ＤＲＸ状態からｎｏｎ-ＤＲＸ状態に復帰することなく、ＤＲＸ状態に留まることを決定するように構成されている。
【００５１】
（変更例１）
以下、図１０を参照して、本発明の変更例１に係る移動通信システムについて、上述の第１及び第２の実施形態に係る移動通信システムの相違点に着目して説明する。
【００５２】
本変更例１に係る移動通信システムでは、無線基地局ｅＮＢのＲＡ手順実行部１１は、ＡＣ（Ａｃｃｅｓｓ  Ｃｌａｓｓ）１１〜１５を有する移動局ＵＥである優先端末からのＲＡ手順については拒絶しないように構成されている。
【００５３】
すなわち、ＲＡ手順実行部１１は、非優先端末がＤＲＸ状態からｎｏｎ-ＤＲＸ状態に復帰する際のＲＡ手順について拒絶する場合であっても、優先端末がＤＲＸ状態からｎｏｎ-ＤＲＸ状態に復帰する際のＲＡ手順については拒絶しないように構成されている。
【００５４】
そのために、ＲＡ手順実行部１１は、ＲＲＣコネクション確立時に払い出したＣ-ＲＮＴＩのうち、優先端末宛てに払い出したＣ-ＲＮＴＩを記憶しておくように構成されている。
【００５５】
そして、ＲＡ手順実行部１１は、移動局ＵＥがＤＲＸ状態からｎｏｎ-ＤＲＸ状態に復帰する際のＲＡ手順において、「Ｍｅｓｓａｇｅ３」としてのＭＡＣ-ＣＥによって通知されたＣ-ＲＮＴＩが、優先端末宛てに払い出したＣ-ＲＮＴＩであると判定すると、無線アクセスネットワークが輻輳している場合であっても、かかるＲＡ手順について受け付けるように構成されている。
【００５６】
以下、図１０を参照して、本変更例１に係る移動通信システムの動作について説明する。
【００５７】
図１０に示すように、移動局ＵＥは、ＲＲＣ_ＩＤＬＥ状態からＲＲＣ_ＣＯＮＮＥＣＴＥＤ状態に遷移することを決定すると、ランダムアクセス手順を開始するために、ステップＳ２００１において、無線基地局ｅＮＢに対して、「Ｒａｎｄｏｍ  Ａｃｃｅｓｓ  Ｐｒｅａｍｂｌｅ」を送信する。
【００５８】
ステップＳ２００２において、無線基地局ｅＮＢは、移動局ＵＥに対して、テンポラリのＣ-ＲＮＴＩを払い出し、かかるテンポラリのＣ-ＲＮＴＩを通知する「Ｒａｎｄｏｍ  Ａｃｃｅｓｓ  Ｒｅｓｐｏｎｓｅ」を送信する。
【００５９】
ステップ２００３において、移動局ＵＥは、無線基地局ｅＮＢに対して、「Ｓｃｈｅｄｕｌｉｎｇ  Ｔｒａｎｓｍｉｓｓｉｏｎ（Ｍｅｓｓａｇｅ３）」として、「ｅｓｔａｂｌｉｓｈｍｅｔ  ｃａｕｓｅ：ｈｉｇｈＰｒｉｏｒｉｔｙＡｃｃｅｓｓ」と設定されている「ＲＲＣ  Ｃｏｎｎｅｃｔｉｏｎ  Ｒｅｑｕｅｓｔ」を送信する。
【００６０】
ここで、無線基地局ｅＮＢは、「ｅｓｔａｂｌｉｓｈｍｅｔ  ｃａｕｓｅ：ｈｉｇｈＰｒｉｏｒｉｔｙＡｃｃｅｓｓ」に基づいて、移動局ＵＥが優先端末であることを検出する。
【００６１】
ステップＳ２００４において、無線基地局ｅＮＢは、移動局ＵＥに対して、「Ｃｏｎｔｅｎｔｉｏｎ  Ｒｅｓｏｌｕｔｉｏｎ（Ｍｅｓｓａｇｅ４）」として、「ＲＲＣ  Ｃｏｎｎｅｃｔｉｏｎ  Ｓｅｔｕｐ」を送信する。
【００６２】
ここで、移動局ＵＥは、テンポラリのＣ-ＲＮＴＩを、正式な移動局ＵＥおｎＣ-ＲＮＴＩとする。
【００６３】
ステップＳ２００５において、移動局ＵＥは、無線基地局ｅＮＢに対して、「ＲＲＣ  Ｃｏｎｎｅｃｔｉｏｎ  Ｓｅｔｕｐ  Ｃｏｍｐｌｅｔｅ」を送信する。
【００６４】
ここで、無線基地局ｅＮＢは、移動局ＵＥに対して払い出したＣ-ＲＮＴＩを、優先端末宛てに払い出したＣ-ＲＮＴＩであると記憶する。 
【００６５】
その後、ＤＲＸ状態に遷移した移動局ＵＥは、ＤＲＸ状態からｎｏｎ-ＤＲＸ状態に復帰することを決定すると、ランダムアクセス手順（Ｃｏｎｔｅｎｔｉｏｎ  Ｂａｓｅｄ  ＲＡ  Ｐｒｏｃｅｄｕｒｅ）を開始するために、ステップＳ２１０１において、無線基地局ｅＮＢに対して、「Ｒａｎｄｏｍ  Ａｃｃｅｓｓ  Ｐｒｅａｍｂｌｅ」を送信する。
【００６６】
ステップＳ２１０２において、無線基地局ｅＮＢは、移動局ＵＥに対して、「Ｒａｎｄｏｍ  Ａｃｃｅｓｓ  Ｒｅｓｐｏｎｓｅ」を送信する。
【００６７】
ステップＳ２１０３において、移動局ＵＥは、無線基地局ｅＮＢに対して、「Ｓｃｈｅｄｕｌｉｎｇ  Ｔｒａｎｓｍｉｓｓｉｏｎ（Ｍｅｓｓａｇｅ３）」として、移動局ＵＥのＣ-ＲＮＴＩを通知するＭＡＣ-ＣＥのみを送信する。
【００６８】
無線基地局ｅＮＢは、かかる移動局ＵＥのＣ-ＲＮＴＩが、優先端末宛てに払い出したＣ-ＲＮＴＩであると判定し、無線アクセスネットワークが輻輳しているような場合であっても、すなわち、非優先端末のＤＲＸ状態からｎｏｎ-ＤＲＸ状態への復帰に伴うＲＡ手順を拒絶する場合であっても、かかるＲＡ手順を受け付けることと決定し、ステップＳ１００４において、移動局ＵＥに対して、「Ｃｏｎｔｅｎｔｉｏｎ  Ｒｅｓｏｌｕｔｉｏｎ（Ｍｅｓｓａｇｅ４）」として、ＭＡＣ-ＣＥによって通知された移動局ＵＥのＣ-ＲＮＴＩを用いたＰＤＣＣＨを送信する。
【００６９】
（変更例２）
以下、本発明の変更例２に係る移動通信システムについて、上述の第１の実施形態に係る移動通信システムの相違点に着目して説明する。
【００７０】
本変更例２に係る移動通信システムでは、無線基地局ｅＮＢのＲＡ手順実行部１１は、移動局ＵＥのＤＲＸ状態からｎｏｎ-ＤＲＸ状態への復帰を拒絶する場合、図８に示すＲＡ手順のステップＳ１００４において、ステップＳ１００３において移動局ＵＥから受信したＭＡＣ-ＣＥに対して、「ＲＲＣ  Ｃｏｎｎｅｃｔｉｏｎ  Ｒｅｌｅａｓｅ」を送信するように構成されている。
【００７１】
ここで、ＲＡ手順実行部１１は、「ＲＲＣ  Ｃｏｎｎｅｃｔｉｏｎ  Ｒｅｌｅａｓｅ」によって、移動局ＵＥをＲＲＣ_ＩＤＬＥ状態に遷移させるように構成されていてもよい。
【００７２】
一方、移動局ＵＥのＲＡ手順実行部２２は、図８に示すＲＡ手順のステップＳ１００４において、無線基地局ｅＮＢから「ＲＲＣ  Ｃｏｎｎｅｃｔｉｏｎ  Ｒｅｌｅａｓｅ」を受信した場合に、移動局ＵＥの状態管理部２１は、ＲＲＣ_ＩＤＬＥ状態に遷移することを決定するように構成されている。
【００７３】
ここで、移動局ＵＥのＲＡ手順実行部２２は、「ＲＲＣ  Ｃｏｎｎｅｃｔｉｏｎ  Ｒｅｌｅａｓｅ」によって「ｗａｉｔＴｉｍｅ」が通知された場合、ＲＲＣ_ＩＤＬＥ状態において、かかる「ｗａｉｔＴｉｍｅ」が経過するまでの期間は、上述のＲＡ手順を試みないように構成されていてもよい。なお、ＲＲＣ_ＩＤＬＥ状態では、ネットワークが、ＲＲＣ_ＩＤＬＥ状態用のＡＣＢを適用してもよい、すなわち、ＡＣＢ情報を報知してもよい。
【００７４】
以上に述べた本実施形態の特徴は、以下のように表現されていてもよい。
【００７５】
本実施形態の第１の特徴は、無線基地局ｅＮＢであって、移動局ＵＥが、ＤＲＸ状態（間欠受信状態）からｎｏｎ-ＤＲＸ状態（連続受信状態）に復帰する際に、移動局ＵＥとの間でＲＡ手順（ランダムアクセス手順）を実行するように構成されているＲＡ手順実行部１１を具備しており、ＲＡ手順実行部１１は、かかる復帰を拒絶する場合、上述のＲＡ手順において、移動局ＵＥから受信したＭＡＣ-ＣＥ（ＭＡＣ制御要素）に対して、所定のＭＡＣ-ＣＥを送信するように構成されていることを要旨とする。
【００７６】
本実施形態の第２の特徴は、無線基地局ｅＮＢであって、移動局ＵＥが、ＤＲＸ状態からｎｏｎ-ＤＲＸ状態に復帰する際に、移動局ＵＥとの間でＲＡ手順を実行するように構成されているＲＡ手順実行部１１を具備しており、ＲＡ手順実行部１１は、かかる復帰を拒絶する場合、上述のＲＡ手順において、移動局ＵＥから受信したＭＡＣ-ＣＥによって通知されたＣ-ＲＮＴＩを用いたＰＤＣＣＨを送信する代わりに、所定のＲＮＴＩを用いたＰＤＣＣＨを送信するように構成されていることを要旨とする。
【００７７】
本実施形態の第１の特徴において、ＲＡ手順実行部１１は、所定のＭＡＣ-ＣＥによって、移動局ＵＥがＲＡ手順を再度試みることができるまでの待機時間を示す「Ｗａｉｔ  ｔｉｍｅｒ」を通知するように構成されていてもよい。
【００７８】
本実施形態の第１又は第２の特徴において、ＲＡ手順実行部１１は、「ＲＡＣＨ-ＣｏｎｆｉｇＣｏｍｍｏｎ（ＲＲＣメッセージ）」によって、移動局ＵＥがＲＡ手順を再度試みることができるまでの待機時間を示す「ｗａｉｔＴｉｍｅ」を通知するように構成されていてもよい。
【００７９】
本実施形態の第３の特徴は、移動局ＵＥであって、ＤＲＸ状態からｎｏｎ-ＤＲＸ状態に復帰する際に、無線基地局ｅＮＢとの間でＲＡ手順を実行するように構成されているＲＡ手順実行部２２と、ＲＡ手順実行部２２が、上述のＲＡ手順において、移動局ＵＥから無線基地局ｅＮＢに対して送信したＭＡＣ-ＣＥに対して、所定のＭＡＣ-ＣＥを受信した場合に、ＤＲＸ状態に留まることを決定するように構成されている状態管理部２１とを具備することを要旨とする。
【００８０】
本実施形態の第４の特徴は、移動局ＵＥであって、ＤＲＸ状態からｎｏｎ-ＤＲＸ状態に復帰する際に、無線基地局ｅＮＢとの間でＲＡ手順を実行するように構成されているＲＡ手順実行部２２と、ＲＡ手順実行部２２が、上述のＲＡ手順において、移動局ＵＥから無線基地局ｅＮＢに対して送信したＭＡＣ-ＣＥによって通知したＣ-ＲＮＴＩを用いたＰＤＣＣＨの代わりに、所定のＲＮＴＩを用いたＰＤＣＣＨを受信した場合に、ＤＲＸ状態に留まることを決定するように構成されている状態管理部２１とを具備することを要旨とする。
【００８１】
本実施形態の第３の特徴において、ＲＡ手順実行部２２は、所定のＭＡＣ-ＣＥによって「Ｗａｉｔ  ｔｉｍｅｒ」が通知された場合、かかる「Ｗａｉｔ  ｔｉｍｅｒ」が経過するまでの期間は、上述のＲＡ手順を試みないように構成されていてもよい。
【００８２】
本実施形態の第３の特徴において、ＲＡ手順実行部２２は、所定のＭＡＣ-ＣＥを受信した場合で、かつ、「ＲＡＣＨ-ＣｏｎｆｉｇＣｏｍｍｏｎ」によって「ｗａｉｔＴｔｉｍｅ」が通知されている場合、かかる「ｗａｉｔＴｔｉｍｅ」が経過するまでの期間は、上述のＲＡ手順を試みないように構成されていてもよい。
【００８３】
本実施形態の第４の特徴において、ＲＡ手順実行部２２は、所定のＲＮＴＩを用いたＰＤＣＣＨを受信した場合で、かつ、「ＲＡＣＨ-ＣｏｎｆｉｇＣｏｍｍｏｎ」によって「ｗａｉｔＴｔｉｍｅ」が通知されている場合、かかる「ｗａｉｔＴｔｉｍｅ」が経過するまでの期間は、上述のＲＡ手順を試みないように構成されていてもよい。
【００８４】
本実施形態の第５の特徴は、無線基地局ｅＮＢであって、移動局ＵＥが、ＤＲＸ状態からｎｏｎ-ＤＲＸ状態に復帰する際に、移動局ＵＥとの間でＲＡ手順を実行するように構成されているＲＡ手順実行部１１を具備しており、ＲＡ手順実行部１１は、かかる復帰を拒絶する場合、上述のＲＡ手順において、移動局ＵＥから受信したＭＡＣ-ＣＥに対して、「ＲＲＣ  Ｃｏｎｎｅｃｔｉｏｎ  Ｒｅｌｅａｓｅ（コネクション解放メッセージ）」を送信するように構成されていることを要旨とする。
【００８５】
本実施形態の第５の特徴において、ＲＡ手順実行部１１は、「ＲＲＣ  Ｃｏｎｎｅｃｔｉｏｎ  Ｒｅｌｅａｓｅ」によって、前記移動局が前記ランダムアクセス手順を再度試みることができるまでの待機時間を示す「ｗａｉｔＴｉｍｅ」を通知するように構成されていてもよい。
【００８６】
本実施形態の第６の特徴は、移動局ＵＥであって、ＤＲＸ状態からｎｏｎ-ＤＲＸ状態に復帰する際に、無線基地局ｅＮＢとの間でＲＡ手順を実行するように構成されているＲＡ手順実行部２２と、ＲＡ手順実行部２２が、上述のＲＡ手順において、移動局ＵＥから無線基地局ｅＮＢに対して送信したＭＡＣ-ＣＥに対して、「ＲＲＣ  Ｃｏｎｎｅｃｔｉｏｎ  Ｒｅｌｅａｓｅ」を受信した場合に、ＤＲＸ状態に留まることを決定するように構成されている状態管理部２１とを具備することを要旨とする。
【００８７】
本実施形態の第６の特徴において、ＲＡ手順実行部２２は、「ＲＲＣ  Ｃｏｎｎｅｃｔｉｏｎ  Ｒｅｌｅａｓｅ」によって「ｗａｉｔＴｉｍｅ」が通知された場合、かかる「ｗａｉｔＴｉｍｅ」が経過するまでの期間は、上述のＲＡ手順を試みないように構成されていてもよい。
【００８８】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００８９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００９１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９２】
ＵＥ…移動局
ｅＮＢ…無線基地局
１１、２２…ＲＡ手順実行部
１２…決定部
２１…状態管理部
【図１】
0006023484.tif 000002
【図２】
0006023484.tif 000003
【図３】
0006023484.tif 000004
【図４】
0006023484.tif 000005
【図５】
0006023484.tif 000006
【図６】
0006023484.tif 000007
【図７】
0006023484.tif 000008
【図８】
0006023484.tif 000009
【図９】
0006023484.tif 000010
【図１０】
0006023484.tif 000011